【手続補正書】
【提出日】平成28年2月1日(2016.2.1)
【手続補正１】
【補正対象書類名】明細書
【補正対象項目名】発明の名称
【補正方法】変更
【補正の内容】
【発明の名称】画像形成装置及びその制御方法、並びにプログラム
【手続補正２】
【補正対象書類名】明細書
【補正対象項目名】０００１
【補正方法】変更
【補正の内容】
【０００１】
本発明は、画像形成装置及びその制御方法、並びにプログラムに関し、特に、ネットワーク環境における機器間の情報セキュリティポリシーの適用技術に関する。
【手続補正３】
【補正対象書類名】明細書
【補正対象項目名】００１４
【補正方法】変更
【補正の内容】
【００１４】
そこで、本発明は、上記課題に鑑み、外部から画像形成装置に導入された拡張アプリケーションに対しても情報セキュリティポリシーに従った状態の維持を可能とする制御技術を提供することを目的とする。
【手続補正４】
【補正対象書類名】明細書
【補正対象項目名】００１５
【補正方法】変更
【補正の内容】
【００１５】
上記目的を達成するために、本発明の画像形成装置は、原稿を読み取って画像データを生成する画像読取手段と、画像データを紙に印刷する印刷手段とを備えた画像形成装置において、少なくとも前記画像読取手段または前記印刷手段を使用してジョブを実行させるためのアプリケーションであって前記画像形成装置に動的にインストールされたアプリケーションを管理する管理手段と、外部装置から送信された、セキュリティポリシーを定義したセキュリティポリシーデータを受信する受信手段と、前記管理手段によって管理されているアプリケーションから、セキュリティポリシーを設定するための環境を示すポリシー環境情報を取得する取得手段と、前記管理手段により管理されている各アプリケーションからの前記ポリシー環境情報の取得結果に基づき、前記管理手段によって管理されているアプリケーションのうち、前記受信手段により受信されたポリシーデータによって定義されているセキュリティポリシーを設定するための環境に対応していないアプリケーションに関する情報を管理者に通知する通知手段と、を有することを特徴とする。
【手続補正５】
【補正対象書類名】特許請求の範囲
【補正対象項目名】全文
【補正方法】変更
【補正の内容】
【特許請求の範囲】
【請求項１】
原稿を読み取って画像データを生成する画像読取手段と、画像データを紙に印刷する印刷手段とを備えた画像形成装置において、
少なくとも前記画像読取手段または前記印刷手段を使用してジョブを実行させるためのアプリケーションであって前記画像形成装置に動的にインストールされたアプリケーションを管理する管理手段と、
外部装置から送信された、セキュリティポリシーを定義したセキュリティポリシーデータを受信する受信手段と、
前記管理手段によって管理されているアプリケーションから、セキュリティポリシーを設定するための環境を示すポリシー環境情報を取得する取得手段と、
前記管理手段により管理されている各アプリケーションからの前記ポリシー環境情報の取得結果に基づき、前記管理手段によって管理されているアプリケーションのうち、前記受信手段により受信されたポリシーデータによって定義されているセキュリティポリシーを設定するための環境に対応していないアプリケーションに関する情報を管理者に通知する通知手段と、
を有することを特徴とする画像形成装置。
【請求項２】
前記ポリシー環境情報は、セキュリティポリシーを設定する機能のバージョン情報であることを特徴とする請求項１に記載の画像形成装置。
【請求項３】
前記通知手段は、前記ポリシー環境情報に含まれる前記バージョン情報に基づいて、通知すべきアプリケーションを決定することを特徴とする請求項２に記載の画像形成装置。
【請求項４】
前記通知手段は、前記管理手段によって管理されているアプリケーションのうち前記ポリシー環境情報を取得できないアプリケーションの情報を通知することを特徴とする請求項１に記載の画像形成装置。
【請求項５】
前記通知手段は、前記管理手段により管理されている少なくとも１つのアプリケーションから取得された前記ポリシー環境情報が、前記受信手段によって受信されたセキュリティポリシーデータによって定義されているセキュリティポリシーを設定するための環境と一致しない場合に、当該アプリケーションの情報を通知することを特徴とする請求項１に記載の画像形成装置。
【請求項６】
前記管理手段によって管理されているアプリケーションのうち、前記受信手段により受信されたポリシーデータによって定義されているセキュリティポリシーを設定するための環境に対応していないアプリケーションの起動を制限することを特徴とする請求項１乃至５のいずれか１項に記載の画像形成装置。
【請求項７】
前記通知手段は、前記受信手段により受信されたポリシーデータによって定義されているセキュリティポリシーを設定するための環境に対応していないアプリケーションの情報を表示部に表示することにより前記通知を行うことを特徴とする請求項１に記載の画像形成装置。
【請求項８】
前記通知手段は、前記管理者に、前記アプリケーションの設定値を手動で変更すべき旨の警告メッセージを通知することを特徴とする請求項１に記載の画像形成装置。
【請求項９】
原稿を読み取って画像データを生成する画像読取手段と、画像データを紙に印刷する印刷手段とを備えた画像形成装置において、
少なくとも前記画像読取手段または前記印刷手段を使用してジョブを実行させるためのアプリケーションであって前記画像形成装置に動的にインストールされたアプリケーションを管理する管理手段と、
前記外部装置から送信された、セキュリティポリシーを定義したセキュリティポリシーデータを受信する受信手段と、
前記管理手段によって管理されている前記アプリケーションのうち、前記受信手段によって受信されたセキュリティポリシーデータによって定義されているセキュリティポリシーを設定する機能を持たないアプリケーションの情報を管理者に通知する通知手段と、
を有することを特徴とする画像形成装置。
【請求項１０】
前記管理手段によって管理されているアプリケーションは、セキュリティポリシーを設定するための環境を示すポリシー環境情報を持つことを特徴とする請求項９に記載の画像形成装置。
【請求項１１】
前記ポリシー環境情報は、セキュリティポリシーを設定するための機能のバージョンを示すバージョン情報であることを特徴とする請求項１０に記載の画像形成装置。
【請求項１２】
前記通知手段は、前記管理手段により管理されているアプリケーションのうち前記バージョン情報を取得できないアプリケーションの情報を通知することを特徴とする請求項１１に記載の画像形成装置。
【請求項１３】
前記通知手段は、前記管理手段により管理されているアプリケーションが前記バージョン情報を持つか否かを判定し、前記通知すべきアプリケーションを決定することを特徴とする請求項１１に記載の画像形成装置。
【請求項１４】
前記セキュリティポリシーによって定義されているセキュリティポリシーを設定するための環境に対応していないアプリケーションの起動を制限する制限手段を更に有することを特徴とする請求項９に記載の画像形成装置。
【請求項１５】
前記通知手段は、前記アプリケーションの情報を表示部に表示することにより、前記通知を行うことを特徴とする請求項９に記載の画像形成装置。
【請求項１６】
前記通知手段は、前記アプリケーションの設定値を手動で変更すべき旨の警告メッセージを通知することを特徴とする請求項９に記載の画像形成装置。
【請求項１７】
原稿を読み取って画像データを生成する画像読取手段と、画像データを紙に印刷する印刷手段とを備えた画像形成装置の制御方法において、
少なくとも前記画像読取手段または前記印刷手段を使用してジョブを実行させるためのアプリケーションであって前記画像形成装置に動的にインストールされたアプリケーションを管理する管理工程と、
外部装置から送信された、セキュリティポリシーを定義したセキュリティポリシーデータを受信する受信工程と、
前記管理工程によって管理されているアプリケーションから、セキュリティポリシーを設定するための環境を示すポリシー環境情報を取得する取得工程と、
前記管理工程により管理されている各アプリケーションからの前記ポリシー環境情報の取得結果に基づき、前記管理工程によって管理されているアプリケーションのうち、前記受信工程により受信されたポリシーデータによって定義されているセキュリティポリシーを設定するための環境に対応していないアプリケーションに関する情報を管理者に通知する通知工程と、
を有することを特徴とする制御方法。
【請求項１８】
原稿を読み取って画像データを生成する画像読取手段と、画像データを紙に印刷する印刷手段とを備えた画像形成装置の制御方法をコンピュータに実行させるプログラムにおいて、
前記制御方法は、
少なくとも前記画像読取手段または前記印刷手段を使用してジョブを実行させるためのアプリケーションであって前記画像形成装置に動的にインストールされたアプリケーションを管理する管理工程と、
外部装置から送信された、セキュリティポリシーを定義したセキュリティポリシーデータを受信する受信工程と、
前記管理工程によって管理されているアプリケーションから、セキュリティポリシーを設定するための環境を示すポリシー環境情報を取得する取得工程と、
前記管理工程により管理されている各アプリケーションからの前記ポリシー環境情報の取得結果に基づき、前記管理工程によって管理されているアプリケーションのうち、前記受信工程により受信されたポリシーデータによって定義されているセキュリティポリシーを設定するための環境に対応していないアプリケーションに関する情報を管理者に通知する通知工程と、
を有することを特徴とするプログラム。
【請求項１９】
原稿を読み取って画像データを生成する画像読取手段と、画像データを紙に印刷する印刷手段とを備えた画像形成装置の制御方法において、
少なくとも前記画像読取手段または前記印刷手段を使用してジョブを実行させるためのアプリケーションであって前記画像形成装置に動的にインストールされたアプリケーションを管理する管理工程と、
前記外部装置から送信された、セキュリティポリシーを定義したセキュリティポリシーデータを受信する受信工程と、
前記管理工程によって管理されている前記アプリケーションのうち、前記受信工程によって受信されたセキュリティポリシーデータによって定義されているセキュリティポリシーを設定する機能を持たないアプリケーションの情報を管理者に通知する通知工程と、
を有することを特徴とする制御方法。
【請求項２０】
原稿を読み取って画像データを生成する画像読取手段と、画像データを紙に印刷する印刷手段とを備えた画像形成装置の制御方法をコンピュータに実行させるプログラムにおいて、
前記制御方法は、
少なくとも前記画像読取手段または前記印刷手段を使用してジョブを実行させるためのアプリケーションであって前記画像形成装置に動的にインストールされたアプリケーションを管理する管理工程と、
前記外部装置から送信された、セキュリティポリシーを定義したセキュリティポリシーデータを受信する受信工程と、
前記管理工程によって管理されている前記アプリケーションのうち、前記受信工程によって受信されたセキュリティポリシーデータによって定義されているセキュリティポリシーを設定する機能を持たないアプリケーションの情報を管理者に通知する通知工程と、
を有することを特徴とするプログラム。